(57)【特許請求の範囲】
【請求項１】
少なくとも１つの回転可能なディスク型部材を持つ脱毛ヘッドと、
前記脱毛ヘッドの隣に配置されたマッサージ部材と、
回転している前記脱毛ヘッドから前記マッサージ部材へと機械的な動力を伝達することにより、前記マッサージ部材を駆動させるための駆動構造とを有し、
前記駆動構造は、回転軸のまわりに前記少なくとも１つのディスク型部材により回転させられる目的のため、前記少なくとも１つの回転可能なディスク型部材の周縁に接触するシリンダを有し、前記シリンダは、前記回転軸について対称である接触面を持つ、脱毛器。
【請求項２】
前記駆動構造は更に、前記シリンダにより回転させられるように構成された偏心タペットを有する、請求項１に記載の脱毛器。
【請求項３】
前記シリンダと前記偏心タペットとは互いに堅固に結合される、請求項２に記載の脱毛器。
【請求項４】
前記駆動構造は更に、前記偏心タペットにより平行移動させられるように構成された平行移動部材を有する、請求項２に記載の脱毛器。
【請求項５】
前記平行移動部材に堅固に結合され且つ前記マッサージ部材を担持する担体を更に有する、請求項４に記載の脱毛器。
【請求項６】
前記担体をガイドするためのレールを更に有する、請求項５に記載の脱毛器。
【請求項７】
前記シリンダは滑り抵抗素材からつくられる、請求項１に記載の脱毛器。
【請求項８】
前記シリンダは、ばねによって前記少なくとも１つのディスク型部材に向けて付勢される、請求項１に記載の脱毛器。
【請求項９】
前記平行移動部材は、ばねによって前記偏心タペットに向けて付勢される、請求項４に記載の脱毛器。
【請求項１０】
前記ばねは、前記シリンダの回転軸に平行に延在する弾性棒又は弾性板を有する、請求項８又は９に記載の脱毛器。
【請求項１１】
前記マッサージ部材はマッサージローラを有する、請求項１に記載の脱毛器。
【請求項１２】
前記マッサージ部材、及び前記シリンダを含む前記駆動構造は、前記脱毛器の筐体に着脱可能な取り付け具の一部である、請求項１に記載の脱毛器。
【請求項１３】
前記取り付け具は、前記脱毛ヘッドの一部を囲む外側キャップを有する、請求項１２に記載の脱毛器。
【発明の詳細な説明】
【技術分野】
【０００１】
本発明は、少なくとも１つの回転可能なディスク型部材を持つ脱毛ヘッドと、前記脱毛ヘッドに隣接して配置されたマッサージ部材と、前記マッサージ部材を駆動するための駆動構造と、を有する脱毛器に関する。
【背景技術】
【０００２】
ハンドヘルド型の、モータ駆動型脱毛器は、近年ますます人気が高くなっている。斯かる脱毛器は一般に、皮膚から毛を抜き取るための、協働するクランプディスクの対又はその他の機構を有する。
【０００３】
脱毛は非常に痛みを伴う処置である。しかしながら、皮膚からの毛の抜き取りの直前、抜き取りの間、又は抜き取りの直後に、皮膚における神経を刺激することにより、斯かる痛みは著しく軽減され得ることが分かっている。今日、マッサージ、振動又はその他の痛み軽減装置を持つ脱毛器が入手可能である。斯かる装置は受動的なものであっても良いし、又はモータにより、例えばクランプディスクをも駆動するモータにより、能動的に駆動されても良い。後者の場合においては、クランプディスクを駆動するためと痛み軽減装置を駆動するためとで、別個の駆動系又は運動変換器が通常利用される。しかしながら、別個の駆動系及び運動変換器は余分な場所をとり、特に小型で魅力的な設計を阻害し得る。
【０００４】
米国特許US6,123,713は、毛抜きアセンブリと該毛抜きアセンブリに隣接する振動アセンブリを持ち、偏心シリンダが駆動歯車に装着された、脱毛器を記載している。該偏心シリンダは、該シリンダの幾何学的な中心から外れた回転軸を持ち、それにより、該駆動歯車の回転が、振動ヘッドを、該回転軸に対して持ち上げたり下げたりする。
【発明の概要】
【発明が解決しようとする課題】
【０００５】
本発明の目的は、とりわけ小型な駆動機構により駆動可能な痛み軽減要素を持つ脱毛器を提供することにある。本目的は、独立請求項の特徴的機能により達成される。更なる規定及び具体的な実施例は、従属請求項において概説される。
【課題を解決するための手段】
【０００６】
本発明によれば、脱毛器のマッサージ部材を駆動するための駆動構造が、回転軸のまわりに前記少なくとも１つのディスク型部材により回転させられる目的のため、前記少なくとも１つのディスク型部材の周縁に接触するためのシリンダを有し、前記シリンダは、前記回転軸について対称である接触面を持つ。該装置の動作の間、該マッサージ部材は、該少なくとも１つのディスク型部材により駆動され、該部材は本発明の一例においては回転可能な脱毛ヘッドの１つ以上のクランプディスクである。斯くして、前記シリンダが、回転脱毛ヘッドからマッサージ部材へと機械的な動力を伝達するための中間駆動部材として機能する。マッサージ部材は脱毛ヘッドに隣接して配置されるため、この提案される機構はとりわけ小型となり得る。前記シリンダの接触面は前記回転軸について対称であるため、脱毛ヘッドが均一に回転させられるとき、即ち一定の角速度で、脱毛ヘッドに対して回転軸が移動しないように回転させられるときには、該シリンダの均一な回転が保証される。
【０００７】
該駆動構造は更に、前記シリンダにより回転させられるように構成された偏心タペットを有しても良い。該シリンダの均一な回転運動は、斯くして平行運動又はその他のタイプの運動へと変換され得る。タペットの回転軸に垂直な断面は、単一の、二重の又は三重のストローク機構を実現するような形状とされ、それにより該タペットが、該タペットの１回転ごとに該タペットに一度、二度又は三度接触する部材を平行移動させる。該タペットの断面は特に、楕円又はルーロー（Reuleaux）の三角形を定義しても良い。
【０００８】
前記シリンダ及び偏心タペットは、互いに堅固に結合されても良い。とりわけ、該シリンダの底辺が該タペットの底辺と接触しても良く、該シリンダの底辺と該タペットの底辺とが互いに平行であっても良い。更には特に、該シリンダと該偏心タペットとが、単一の部品を形成しても良い。該単一の部品は斯くして、該シリンダによりもたらされる第１の周縁部と、それとは異なる、該タペットによりもたされる偏心の第２の周縁部とを持つ。これにより、該シリンダと該タペットとの、とりわけ単純且つ堅固な結合が実現される。
【０００９】
該駆動構造は更に、前記偏心タペットにより平行移動されるように構成された平行移動部材を有しても良い。これにより、前記シリンダの回転運動が、前記脱毛ヘッドに対する該平行移動部材の上下運動に変化され得る。
【００１０】
前記脱毛器は更に、前記平行移動部材に堅固に結合され且つ前記マッサージ部材を担持する担体を有しても良い。斯くして、前記平行移動部材の運動が、該平行移動部材とマッサージ部材との間に配置されたいずれの中間の可動部材を伴うことなく、マッサージ部材へと直接に伝達される。
【００１１】
前記脱毛器は更に、前記担体をガイドするためのレールを有しても良い。該レールは斯くして、該担体及びそれ故マッサージ部材を、該レールにより定義される方向に移動するように制約する。
【００１２】
前記シリンダの接触面は、滑り抵抗物質で作られる。該滑り抵抗物質は、例えばゴム又はゴム状物質を有しても良い。これにより、該装置の回転の間に、該シリンダがクランプディスクと共に回転すること、及び最大限の力がクランプディスクによりシリンダにかけられることが確実にされ得る。このことはまた、ノイズの低減ももたらす。
【００１３】
前記シリンダは、ばねにより少なくとも１つのディスク型部材に向けて付勢されても良い。これにより、該少なくとも１つのディスク型部材と該シリンダとの間の堅固な接触が保証される。
【００１４】
前記平行移動部材は、ばねにより前記偏心タペットに向けて付勢されても良い。斯くして、該平行移動部材が、該偏心タペットとの堅固な機構的接触を保つことが確実にされる。
【００１５】
前記ばねは、前記シリンダの回転軸に沿って延在する、弾性棒又は弾性板を有しても良い。それ故、該ばねが回転軸に垂直な方向に変形されると、該ばねは反対方向に力をもたらし、該力が前記偏心タペットに向けて前記平行移動部材を付勢するか、又は前記クランプディスクに向けて前記シリンダを付勢する。
【００１６】
前記マッサージ部材は、マッサージローラを有しても良い。マッサージローラは、脱毛器が皮膚上を動かされると皮膚上を回転する回転可能な部材として理解される。
【００１７】
該マッサージ部材と前記シリンダを含む前記駆動構造とは、該脱毛器の筐体に着脱可能な取り付け具の一部であっても良い。該取り付け具は例えば、既存の脱毛器、とりわけ痛み軽減装置を持たない脱毛器に固定されるように設計されても良い。前記シリンダが脱毛ヘッドと比較的単純な機構的係合状態にあるという事実のため、該取り付け具の筐体への装着、又は該取り付け具の筐体からの取り外しは、該シリンダと脱毛ヘッドとの間の機構的な係合力によって妨げられない。
【００１８】
該取り付け具は、脱毛ヘッドの一部を囲む外側キャップを有しても良い。該取り付け具は斯くして、例えば不快感又は怪我を防ぐため、該脱毛器の一部が皮膚と接触することを防止する。
【００１９】
本発明のこれらの及び他の特徴は、以下の説明及び添付図面から明らかとなるであろう。
【図面の簡単な説明】
【００２０】
【図１】脱毛器の、一部が分解された、簡略化された前面図を示す。
【図２】図１に示された脱毛器の簡略化された前面図である。
【図３】脱毛器の簡略化された斜視図を示す。
【図４】特定の実施例により脱毛器の簡略化された上面図を示す。
【図５】第１の面に沿ってとられた、図４に示された脱毛器の一部の簡略化された断面図を示す。
【図６】第１の面に平行は第２の面に沿ってとられた、図４及び５に示された脱毛器の一部の簡略化された断面図を示す。
【図７】図４、５及び６に示された脱毛器の一部の簡略化された斜視図を示す。
【図８】図４乃至７に示された脱毛器の一部の、一部を切り取った、簡略化された斜視図を示す。
【発明を実施するための形態】
【００２１】
別の図面における同一の参照番号は、同一の、類似する、又は相似する構成要素を示すために使用されている。斯かる構成要素は、一度よりも多くは必ずしも説明されない。
【００２２】
図１は、筐体１２、脱毛ヘッド１８、及び脱毛セッションの間に皮膚をマッサージするためのマッサージ部材３４を有する脱毛器１０の、一部が分解された、簡略化された側面図を示す。脱毛ヘッド１８は、回転軸４０のまわりに回転可能に装着された幾つかのクランプディスク２０を有する。脱毛ヘッド１８は、筐体１２に内側キャップ１４を締着させるため、筐体１２の相補的な手段（図示されていない）と係合する手段（図示されていない）を持つ内側キャップ１４に装着される。クランプディスク２０には、筐体１２内に配置された電気モータ（図示されていない）により駆動されることを意図された歯車３８が、機構的に結合される。マッサージ部材３４は、筐体１２に外側キャップ１６が取り付けられることを可能とする手段（図示されていない）を持つ外側キャップ１６に装着される。脱毛器１０の組み立てられた状態においては、外側キャップ１６は内側キャップ１４を囲み、処理窓２４を定義し、該処理窓を通して脱毛ヘッド１８が皮膚に接触できる。また、外側キャップ１６には、脱毛器１０が組み立てられた状態にあるときにクランプディスク２０に接触するためのシリンダ２６が装着される。シリンダ２６は、回転下で、回転軸３０のまわりに略対称である。従って、回転軸３０に垂直な該シリンダの断面は、回転軸３０を中心とする円を定義する。マッサージ部材３４に接触する偏心タペット３２が、シリンダ２６と単一の、基本的に剛性の部品として備えられる。シリンダ２６及び偏心タペット３２を有する該単一の部品は、金属、プラスチック、これらの組み合わせ、又はその他のいずれの適切な物質でつくられても良い。回転軸３０に垂直な偏心タペット３２の断面は、ルーローの三角形を定義する。シリンダ２６が回転軸３０のまわりに回転し、それに伴って偏心タペット３２を回転させると、タペット３２は、その偏心のため、外側キャップ１６に対するマッサージ部材３４の上下運動３６を発生させる。シリンダ２６は、回転軸３０に平行に延在する軸２８により、外側キャップ１６に装着される。
【００２３】
図２において、図１を参照しながら以上に議論された脱毛器１０が、組み立てられた状態で、簡略化された態様で示されている。外側キャップ１６は筐体１２に装着され、これにより内側キャップ１４（図１を参照）をカバーし処理窓２４を定義する。脱毛器１０が組み立てられた状態にあるとき、該処理窓を通して脱毛ヘッド１８が皮膚に接触できる。シリンダ２６及び偏心部材３２は、脱毛ヘッド１８の背後に隠れている。
【００２４】
図３を参照すると、脱毛器１０の一部が、模式的な簡略化された態様で示されている。脱毛器１０は、回転可能なクランプディスク２０を持つ脱毛ヘッド１８と、該脱毛ヘッドに隣接して配置されたマッサージ部材３４と、回転軸３０のまわりにクランプディスク２０により回転させられる目的のためのクランプディスク２０の少なくとも１つの周縁に接触するシリンダ２６と、を有する。シリンダ２６の表面は、回転下で、回転軸３０のまわりに略対称である。脱毛器１０は更に、シリンダ２６により回転させられる目的のための偏心タペット３２を有する。シリンダ２６と偏心タペット３２とは、互いに堅固に結合される。脱毛器１０は更に、偏心タペット３２により平行移動させられることを意図された平行移動部材４８を有し、これによりマッサージ部材３４を脱毛ヘッド１８に対して平行移動させる。脱毛器１０は更に、平行移動部材４８に堅固に結合され、マッサージ部材３４を担持するための、担体４６を有する。外側キャップ１６は、マッサージ部材３４が装着される担体４６のためのレールとして機能する。斯くして、担体４６は、外側キャップ１６に対して滑動可能である。シリンダ２６は、偏心タペット３２と共に、軸受３４により支持された軸２８により、外側キャップ１６に装着される。脱毛ヘッド１８が回転軸４０のまわりに回転すると、脱毛ヘッド１８と結合シリンダ２６との間の摩擦が、結合シリンダ２６を回転軸３０のまわりに回転させる。共通の回転軸３０のまわりにシリンダ２６と共に回転し且つ平行移動部材４８と接触している偏心部材３２は、担体４６を移動させ、それ故マッサージ部材３４をレール５８により定義される略直線の方向に移動させる。これに伴い偏心部材３２は、回転軸３０に対する偏心した横断面のため、シリンダ２６の一様な回転運動を、担体４６の、従ってマッサージ部材３４の、上下運動に変換する。上下に運動するマッサージ部材３４の効果は、装置１０のユーザによって、該ユーザの皮膚に対する振動として体感される。マッサージ部材３４は、マッサージ部材３４により定義される回転軸４２に沿って一列に配置された、複数の要素マッサージ部材５２を有する。ここで示された実施例においては、要素マッサージ部材５２は、軸（図示されていない）及び該軸を保持するための軸受を持つフレーム５０により担体４６に装着された、球状のボールである。
【００２５】
ここで図４乃至８を参照すると、特定の実施例による脱毛器１０が、簡略化された態様で示されている。脱毛器１０は、複数のクランプディスク（図示されていない）を持つ脱毛ヘッド１８を部分的に囲む外側キャップ１６を有する。外側キャップ１６には、ローラ３４の回転軸に沿って一列に配置された複数のディスク型要素マッサージ部材５２を有するマッサージローラ３４が、フレーム５０により装着されている。図５は、図４における線Ｂ−Ｂに沿った脱毛器１０の断面を示す。シリンダ２６は、クランプディスク２０が回転させられるとき、該クランプディスクから力を受けるため、クランプディスク２０の周縁に接触している。シリンダ２６は、例えばゴムの被覆により提供される、滑り難い表面を持つ。図６は同様に、図４における線Ａ−Ａに沿った脱毛器１０の断面を示す。偏心タペット３２は、回転下、シリンダ２６の回転軸３０について非対称である。より具体的には、回転軸３０に垂直な偏心タペット３２の断面は、楕円形を為す。ここで示された例においては、該楕円の長軸に対する該楕円の短軸の比は、０．３乃至０．９の範囲内である。偏心タペット３２は、マッサージ部材３４に機構的に結合された平行移動部材４８に接触している。図４、７及び８においてよく示されているように、脱毛器１０は、シリンダ２６の回転軸３０に平行に延在する弾性棒５４の形をとるばね５４を有する。ばね５４は、２つの対向する軸受５６により外側キャップ１６に装着され、シリンダ２６をクランプディスク２０に向けて付勢し、平行移動部材４８をシリンダ２６に向けて付勢する。外側キャップ１６は、駆動機構２６、３２、４８及びマッサージローラ３４と合わせて、脱毛器１０の筐体１２に着脱可能な取り付け具を形成する。
【００２６】
本発明は図面及び以上の記載において詳細に示され説明されたが、図面及び以上の記載は例示的なものであって限定的なものではないと見なされるべきである。本発明は、開示された実施例に限定されるものではない。本発明の範囲から逸脱することなく、以上には説明されていない等価な例、組み合わせ、変更も実現され得る。
【００２７】
動詞「有する（comprise）」及びその語形変化は他のステップ又は要素を除外するものではなく、動詞「有する（comprise）」が指す事項を除外するものでもない。不定冠詞「１つの（a又はan）」は、複数を除外するものではない。単一のユニットが、請求項において言及される幾つかの手段の機能を提供しても良い。特定の特徴が相互に異なる従属請求項に列挙されているという単なる事実は、これら特徴の組み合わせが有利に利用されることができないことを示すものではない。請求項におけるいずれの参照番号も、請求の範囲を限定するものとして解釈されるべきではない。
【図１】
0005461537.tif 000002
【図２】
0005461537.tif 000003
【図３】
0005461537.tif 000004
【図４】
0005461537.tif 000005
【図５】
0005461537.tif 000006
【図６】
0005461537.tif 000007
【図７】
0005461537.tif 000008
【図８】
0005461537.tif 000009